(57)【特許請求の範囲】
【請求項１】
ディジタル送信信号とディジタルフィードバック信号との差分に基づいて、ディジタル送信信号に適用する歪補償係数の更新及び選択を行なう歪補償装置において、
前記歪補償装置に入力されたディジタル送信信号の振幅の低下に応じて、ディジタルフィードバック信号を出力するアナログディジタル変換手段への入力信号のレベルを増大させる調整と、前記差分を算出するのに用いられる前記入力されたディジタル送信信号のレベルを増大させる調整とを行う調整手段
を備えることを特徴とする歪補償装置。
【請求項２】
ディジタル送信信号とディジタルフィードバック信号との差分に基づいて、ディジタル送信信号に乗じる歪補償係数の更新及び選択を行なう歪補償装置において、
ディジタルフィードバック信号を出力するアナログ変換手段の入力信号レベルを、第１の制御信号に応答して増幅する可変利得増幅手段と、
前記差分を算出するのに用いられ、前記歪補償装置に入力されたディジタル送信信号のレベルを、第２の制御信号に応答して設定する設定手段と、
ディジタル送信信号のとり得る電力値と前記可変利得増幅手段及び前記設定手段の利得との所定の対応関係を利用して、前記入力されたディジタル送信信号の電力値に応じて前記第１及び第２の制御信号を出力する調整手段と
を備え、
前記所定の対応関係は、前記入力されたディジタル送信信号のとり得る電力値が小さいほど、前記可変利得増幅手段及び前記設定手段の利得が大きくなるよう、該ディジタル送信信号のとり得る電力値と該可変利得増幅手段及び該設定手段の利得とを対応付けることを特徴とする歪補償装置。
【請求項３】
複数チャネルについてのディジタル送信信号を共通増幅する増幅器を備えた無線基地局において、
該増幅器における増幅前のディジタル送信信号に対して、予め歪みを与える前置歪み補償部と、
前記前置歪み補償部に入力されたディジタル送信信号と前記共通増幅後のディジタル送信信号をフィードバックして得られたフィードバック信号との比較結果に基づいて、両者の差を減ずる方向に前記前置歪み補償部において与える歪みを制御する比較部と、
前記入力されたディジタル送信信号レベルの低下に応じて前記比較部による比較の対象となる各信号レベルを増大させて、両者の差を拡大させるレベル制御部と、
を備えたことを特徴とする無線基地局。
【請求項４】
前記調整手段は、
前記入力信号のレベルを増大させるための制御信号をディジタルアナログ変換するディジタルアナログ変換手段を備えることを特徴とする請求項１記載の歪補償装置。
【請求項５】
前記調整手段は、
前記第１の制御信号をディジタルアナログ変換して前記可変利得増幅手段に出力することを特徴とする請求項２記載の歪補償装置。
【発明の詳細な説明】
【技術分野】
【０００１】
本発明は一般に無線送信機における非線形歪補償装置に関連し、特にディジタルプリディストーション方式の歪補償装置に関連する。
【背景技術】
【０００２】
この種の技術分野では、無線送信機の電力増幅器等に起因する送信信号の非線形歪を補償するために、ディジタルプリディストーション（ＤＰＤ：ｄｉｇｉｔａｌ  ｐｒｅ−ｄｉｓｔｏｒｓｉｏｎ）方式又は前置歪み補償方式が広く使用されている。
【０００３】
図１は、ＤＰＤ方式による歪補償機能を有する無線送信機の部分ブロック図を示す。図示されているように、無線送信機は、ＤＰＤ部１０２と、ディジタルアナログ変換部（Ｄ／Ａ）１０４と、周波数変換部１０６と、高周波増幅部１０８と、分配部１１０と、周波数変換部１１２と、アナログディジタル変換部（Ａ／Ｄ）１１４とを有する。ＤＰＤ部１０２は、振幅及び位相補正部１１６と、ルックアップテーブル１１８と、誤差検出部１２０と、遅延部１２２とを有する。
【０００４】
図中左端から入力される変調済みのベースバンドディジタル送信信号は、ＤＰＤ部１０２にて前置歪み補償処理により修正された後、Ｄ／Ａ１０４にてアナログ送信信号に変換される。アナログ送信信号は、周波数変換部１０６により無線周波数に周波数変換され、高周波増幅部１０８にて増幅され、分配部１１０を経て、不図示のアンテナ部を通じて無線送信される。一方、分配部１１０によりフィードバック信号として抽出された送信信号は、周波数変換部１１２にてベースバンドに周波数変換され、Ａ／Ｄ１１４に入力され、Ａ／Ｄ１１４の出力がＤＰＤ部１０２に入力される。
【０００５】
高周波増幅部１０８その他のアナログ素子は、素子自体の非線形特性に加えて温度変化や経年変化等の使用環境に依存して、伝送する信号の特性に歪を与え得る。この歪は、Ａ／Ｄ１１４からのディジタルフィードバック信号と、遅延部Ｄ１２２により遅延されることでこのフィードバック信号との間の比較のためのタイミングが調整されたディジタル送信信号との差分又は誤差として、ＤＰＤ部１０２の誤差検出部１２０にて検出される。ＤＰＤ部１０２では、誤差検出部１２０で検出する誤差が小さくなるようにルックアップテーブル１１８の歪補償係数が適応的に更新され、ディジタル送信信号レベルに応じて適切な歪補償係数が選択され、それが振幅及び位相補正部１１６にてディジタル送信信号に乗算される。歪補償係数は、アナログ素子により送信信号に導入される非線形歪成分を相殺するように、ディジタル送信信号の振幅及び位相を予め歪ませるよう機能する。このような歪補償装置については、例えば、特許文献１，２及び３に開示されている。
【特許文献１】特開昭６３−２０８３３０号公報
【特許文献２】特開２００１−３４５７１８号公報
【特許文献３】特開２００１−１８９６８５号公報
【発明の開示】
【発明が解決しようとする課題】
【０００６】
ところで、ベースバンドの変調済みのディジタル送信信号は、大小様々な振幅レベルを有する。このため、大きな振幅レベルのディジタル送信信号に対しては大きな振幅レベルのフィードバック信号が得られ、小さな振幅レベルのディジタル送信信号に対しては小さな振幅レベルのフィードバック信号が得られる。この場合において、アナログディジタル変換部（Ａ／Ｄ）１１４に入力されるアナログフィードバック信号の振幅レベルが小さくなると、Ａ／Ｄ１１４にて有効に使用されるビット数が減少することに起因して、ディジタルフィードバック信号の精度が劣化する虞がある。
【０００７】
ディジタル送信信号の最少の振幅レベルは、製品用途や使用環境等にも依存するが、例えば最大のものより数百分の１程度に又は数十ｄＢ小さくなり得る。Ａ／Ｄ１１４のビット数が１２ビットであるとすると、このＡ／Ｄは２１２＝４０９６段階の振幅レベルを表現し得る。最大振幅レベルが４０９６であり、これが１２８分の１（２−７）に減少したとすれば、振幅レベルは３２＝２５になる（約２０ｄＢの減少）。振幅レベルが３２であるということは、Ａ／Ｄの全１２ビットのうち５ビットしか使用されず、残りの７ビットは有効に使用されていないことになる。このようにＡ／Ｄ１１４にて有効に使用されるビット数が減少すると、そこで生成されるディジタルフィードバック信号の精度、誤差検出部１２０における誤差信号の精度等が劣化し、ひいては歪補償精度を劣化させてしまう虞が生じ得る。
【０００８】
本発明は、上記の問題点に鑑みてなされたものであり、その一般的な課題は、ディジタル歪補償方式を採用する送信機において、低レベル信号を送信することに起因する歪補償精度の劣化を抑制することの可能な歪補償装置を提供することである。
【０００９】
より具体的な課題は、ディジタル歪補償方式を採用する送信機において、低レベル信号を送信することに起因する歪補償精度の劣化を速やかに抑制することの可能な歪補償装置を提供することである。
【課題を解決するための手段】
【００１０】
本発明の一態様では、
ディジタル送信信号とディジタルフィードバック信号との差分が小さくなるように、ディジタル送信信号に適用する歪補償係数の更新及び選択を行なう歪補償装置において、
ディジタル送信信号の振幅の大きさに応じて、ディジタルフィードバック信号を出力するアナログディジタル変換手段の入力信号レベルを調整する調整手段を備える
ことを特徴とする歪補償装置
が、使用される。
【発明の効果】
【００１１】
本発明によれば、ディジタル歪補償方式を採用する送信機において、低レベル信号を送信することに起因する歪補償精度の劣化を抑制することが可能になる。
【発明を実施するための最良の形態】
【００１２】
図２は、本発明の一実施例による、ＤＰＤ方式による歪補償機能を有する無線送信機の部分ブロック図を示す。図示されているように、無線送信機は、ＤＰＤ部２０２と、ディジタルアナログ変換部（Ｄ／Ａ）２０４と、周波数変換部２０６と、高周波増幅部２０８と、分配部２１０と、周波数変換部２１２と、可変利得増幅部２１３と、アナログディジタル変換部（Ａ／Ｄ）２１４とを有する。ＤＰＤ部２０２は、振幅及び位相補正部２１６と、ルックアップテーブル２１８と、誤差検出部２２０と、遅延部２２２と、利得設定部（ＧＣ）２２４と、調整部２２６とを有する。調整部２２６は、可変利得増幅部２１３からの通知を受信するように可変利得増幅部２１３に接続される。
【００１３】
図中左端から入力される変調済みのベースバンドディジタル送信信号は、例えばコード拡散された信号であり、ＤＰＤ部２０２にて修正された後、Ｄ／Ａ２０４にてアナログ送信信号に変換される。その変調は、例えば、拡散符号を用いた拡散処理である１次変調である。アナログ送信信号は、周波数変換部２０６により無線周波数に周波数変換され、高周波増幅部２０８にて増幅され、分配部２１０を経て、不図示のアンテナ部を通じて無線送信される。説明の便宜上、中間周波数帯への変換等の処理は、それがあったとしても省略されている点に留意を要する。一方、分配部２１０によりフィードバック信号として抽出された送信信号は、周波数変換部２１２にてベースバンド帯域の信号に周波数変換され、可変利得増幅部２１３を経てＡ／Ｄ２１４に入力され、Ａ／Ｄ２１４の出力がＤＰＤ部２０２に入力される。
【００１４】
ＤＰＤ部２０２では、Ａ／Ｄ２１４からのディジタルフィードバック信号と、遅延部Ｄ２２２により遅延されることでこのフィードバック信号との間の比較のためのタイミングが調整されたディジタル送信信号との差分又は誤差が検出される。この誤差が小さくなるようにルックアップテーブル２１８の歪補償係数が適応的に更新され、ディジタル送信信号に応じて適切な歪補償係数が選択され、それが振幅及び位相補正部２１６にてディジタル送信信号に乗算される。歪補償係数は、アナログ素子により送信信号に導入される非線形歪成分を相殺するように、ディジタル送信信号の振幅及び位相を予め歪ませるよう機能する。
【００１５】
可変利得増幅部２１３は、そこに入力されたアナログフィードバック信号の振幅レベルが小さい場合にはそれを大きくするように自律的に動作する。例えば、可変利得増幅部２１３は、アナログフィードバック信号の振幅レベルを検出し、Ａ／Ｄ２１４への入力信号レベルが一定になるように自身の利得を制御する。或いは、可変利得増幅部２１３は、アナログフィードバック信号の振幅レベルを検出し、その振幅レベルが所定値より小さい場合に所定の利得で増幅するよう動作し得る。更に、可変利得増幅部２１３は、フィードバック経路の利得を変化させたことを、制御線２２８を通じて調整部２２８に通知する。調整部２２８では、この通知に応じて、利得設定部２２４の利得を同等の利得になるように調整する。
【００１６】
可変利得増幅部２１３により、Ａ／Ｄ２１４に入力される信号の振幅レベルは、一定値以上に維持されるので、従来懸念されていたような低レベル信号に起因する歪補償の精度劣化を効果的に抑制することが可能になる。但し、可変利得増幅部２１３によってフィードバック経路の利得又は増幅率が変更され、Ａ／Ｄ２１４から出力されるディジタルフィードバック信号の振幅レベルも当然に変化するので、誤差検出部２２０で誤差検出を行なう際にその変化を考慮する必要がある。さもなくば、誤差検出部２２０により検出された振幅レベルの差分が、アナログ素子により導入された非線形歪によるものか、又は可変利得増幅部２１３の利得変化によるものか判別できず、後者の場合は不適切な歪補償係数の更新がなされてしまうためである。可変利得増幅部２１３、利得設定部２２４及び調整部２２６を利用して、誤差検出部２２０に接続される両経路の利得を適切に維持することで、そのような懸念を排除することが可能になる。
【００１７】
図３は、本発明の別の実施例による、ＤＰＤ方式による歪補償機能を有する無線送信機の部分ブロック図を示す。図示されているように、無線送信機は、ＤＰＤ部３０２と、Ｄ／Ａ３０４と、周波数変換部３０６と、高周波増幅部３０８と、分配部３１０と、周波数変換部３１２と、可変利得増幅部３１３と、Ａ／Ｄ３１４とを有する。ＤＰＤ部３０２は、振幅及び位相補正部３１６と、ルックアップテーブル３１８と、誤差検出部３２０と、遅延部３２２と、利得設定部３２４と、調整部３２６とを有する。調整部３２６は、制御線３２８を通じて可変利得増幅部３１３に、制御線３３０を通じて利得設定部３２４に接続される。
【００１８】
図中左端から入力される変調済みのベースバンドディジタル送信信号は、ＤＰＤ部３０２にて前置歪み補償がなされた後、Ｄ／Ａ３０４にてアナログ送信信号に変換される。アナログ送信信号は、周波数変換部３０６により無線周波数に周波数変換され、高周波増幅部３０８にて増幅され、分配部３１０を経て、不図示のアンテナ部を通じて無線送信される。一方、分配部３１０によりフィードバック信号として抽出された送信信号は、周波数変換部３１２にてベースバンドに周波数変換され、可変利得増幅部３１３を経てＡ／Ｄ３１４に入力され、Ａ／Ｄ３１４の出力がＤＰＤ部３０２に入力される。
【００１９】
ＤＰＤ部３０２では、ディジタル送信信号とＡ／Ｄ３１４からのディジタルフィードバック信号との差分が小さくなるように、ルックアップテーブル３１８の歪補償係数が適応的に更新され、ディジタル送信信号に応じて適切な歪補償係数が選択され、それが振幅及び位相補正部３１６にてディジタル送信信号に乗算される。
【００２０】
ところで、ディジタル送信信号の振幅レベルの最大値及び最小値がどのような値であるか、即ちディジタル送信信号の電力がどの程度変化するかは、歪補償動作を行なう以前に把握することが可能である。上記の例で言えば、４０９６（＝２１２）段階の振幅レベルに対して最小値が３２（＝２５）程度になることは、ＤＰＤ３０２にディジタル送信信号を入力する以前に把握することが可能である。従って、仮にディジタル送信信号をＤＰＤ部３０２に入力した場合に、そのディジタル送信信号のフィードバック信号が、何らの非線形歪もなければどのような振幅レベルになるかを予測することは可能である。その予測に基づいて、小さな振幅レベルのフィードバック信号が適切に増幅されるようにすれば、Ａ／Ｄ３１４のビット数を有効に使用することが可能になる。そこで、調整部３２６は、ディジタル送信信号のとり得る電力値と可変利得増幅部３１３の利得Ａ及び利得設定部３２４における利得Ｂとの間の対応関係をメモリ（図４）に記憶し、ディジタル送信信号がＤＰＤ部３０２に入力される毎にメモリを参照し、その対応関係に基づいて制御線３２８を通じて制御信号を出力する。その対応関係は、小さな振幅レベルに対して大きな利得を対応付けるものである。可変利得増幅部３１３は、受信した制御信号の示す利得で信号を増幅し、振幅レベルの増幅された信号をＡ／Ｄ３１４に与える。
【００２１】
尚、可変利得増幅部３１３で利得を変化させると、フィードバック経路の利得が変化することになる。従って、本実施例でも図２の実施例と同様に、フィードバック信号側の利得とディジタル送信信号側の利得を適切に合わせる必要がある。このため、調整部３２６は、可変利得増幅部３１３の利得を変化させる場合には、利得設定部３２４の利得も変化させるように、制御線３３０を通じて制御信号を利得設定部３２４に与える。
【００２２】
図４は、調整部３２６の構成例を示すブロック図である。図示されているように、調整部３２６は、電力測定部（Ｉ２＋Ｑ２）４０２と、メモリ４０４と、ディジタルアナログ変換部（Ｄ／Ａ）４０６を有する。電力測定部４０２は、入力されたディジタル送信信号の同相成分の二乗及び直交成分の二乗を加算することで、電力値を算出する。この電力値は、メモリ４０４のアドレスを指定するために使用される。メモリ４０４には、ディジタル送信信号のとり得る振幅レベル又は電力値（入力アドレス）と、可変利得増幅部３１３及び利得設定部３２４の利得との対応関係を定めるデータ又は情報が格納されている。ディジタル送信信号及び誤差信号が入力される毎に更新されるルックアップテーブルの内容とは異なり、メモリ４０４に格納される情報は不変であり得る点に留意を要する。メモリ４０４の内容は、Ｄ／Ａ４０６を介して可変利得増幅部３１３に、及び利得設定部３２４に与えられる。制御信号を出力する際にＤ／Ａ４０６を経由するか否かは、可変利得増幅部３１３及び利得設定部３２４の動作する領域がアナログ領域及びディジタル領域であることに起因する。メモリ４０４は、例えば次のように構成され得る：
電力 第１利得 第２利得
Ｐ１        Ａ１        Ｂ１
Ｐ２        Ａ２        Ｂ２
・・・・・・
Ｐ４０９６    Ａ４０９６    Ｂ４０９６
この例では、例えば４０９６（＝２１２）段階の電力値Ｐｉの各々に対して、可変利得増幅部３１３の利得Ａｉ及び利得設定部３２４の利得Ｂｉが設定されている。Ｐ１から小さい順に電力値が並んでいるとする。小さな電力値に対しては大きな利得を与えるように、第１利得Ａｉ及び第２利得Ｂｉが設定される。例えば、Ａ４０９６＝１，Ａ３２＝１２８，．．．のように設定すると、Ｐ３２のような小さな電力値の信号を送信する場合であっても、大きな電力値の信号を送信する場合（Ｐ４０９６）と同様に、Ａ／Ｄ３１４のビット数を有効に使用することが可能になる。
【００２３】
図５の実線に示されるように、上記の例では電力値Ｐｉの各々に対して、１対１の関係で連続的に可変利得増幅部３１３の利得Ａｉ及び利得設定部３２４の利得Ｂｉが設定されている。変形例としては、複数の電力値に対して同一の利得Ａｉ又はＢｉを与えることが可能である。例えば、図５の波線に示されるように、利得を３段階に限定することが可能である。３段階だけでなく、他の数を設定することも当然に可能である。このように複数の電力値に対して同一内容の利得を設定することで、メモリ４０４の記憶スペースを節約することが可能になる。上述したように、メモリ４０４に記憶される内容は、ルックアップテーブル３１８のように頻繁に更新される必要はない。従って、メモリ４０４の内容を固定的に設定することが可能である。しかしながら、そのような固定的な対応関係を示す情報を複数種類用意して（例えば、図５の実線に示されるような対応関係と、波線に示されるような対応関係とを用意して）、通信状況等に合わせて適切な対応関係を選択するようにすることも可能である。
【００２４】
図６は、図３に示されるようなＤＰＤ部の別の構成例を示す。図示されているように、ＤＰＤ部６０２は、振幅及び位相補正部６１６と、ルックアップテーブル６１８と、電力算出部６１９と、誤差検出部６２０と、遅延部６２２，６２３と、利得設定部６２４と、調整部６２６とを有する。調整部６２６は、制御線６２８を通じて可変利得増幅部６１３に、制御線６３０を通じて利得設定部６２４に接続される。
【００２５】
ルックアップテーブル６１８は、ディジタル送信信号の電力値と誤差信号に基づいて、誤差が小さくなるように歪補償係数を適応的に更新される。また、調整部６２６は、ディジタル送信信号の電力値に応じて可変利得増幅部６１３又は利得設定部６２４への制御信号を出力する。従って、電力値に関する情報は、ルックアップテーブル６１８でも調整部６２６でも使用されるので、電力値の算出結果をそれらで共用すれば演算負担の軽減になる。図６の例では、電力算出部６１９で算出された電力値がルックアップテーブル６１８へ入力されると共に、遅延部６２３を介して調整部６２６にも与えられる。この例の場合は、図４に示されるような電力算出部４０４は不要である。
【００２６】
図３以降に示される実施例によれば、Ａ／Ｄ３１４，６１４に入力される信号レベルが低い場合はそれが適切に増幅されるので、従来懸念されていたような歪補償の精度劣化を効果的に抑制することが可能になる。図３等に示される実施例は、フィードバック経路に挿入される可変利得増幅部３１３，６１３が、調整部３２６及び制御線３２８で形成される経路を通じて制御される点で図２に示されるものと相違する。図２の実施例では、可変利得増幅部２１４が、フィードバック信号の振幅レベルが小さいことを検出し、それを大きくするように自律的に増幅してＡ／Ｄ２１４に与え、フィードバック経路の利得を変化させたことを調整部２２６に通知し、この通知に応じて利得設定部２２６の利得が調整される。フィードバック信号のレベル検出や可変利得増幅部２１３の利得調整等はアナログ領域で行なわれるので、Ａ／Ｄ２１４の入力レベルを一定にするまでにある程度の応答遅れが生じる。言い換えれば、Ａ／Ｄ２１４の入力レベルを安定的に変化させるには、ある程度の期間を要するのである。
【００２７】
これに対して、図３以降に示される実施例では、ディジタル送信信号がＤＰＤ部に入力される毎に調整部３２６から制御信号が可変利得増幅部３１３に与えられる。ディジタル送信信号のレベル検出及び制御信号の内容決定は、分配部３１０から得られるフィードバック信号を利用せずに、ディジタル領域で速やかに行なわれるので、可変利得増幅部３１３は早期にフィードバック信号を増幅することが可能になる。このため、図２の実施例で導入され得るような応答遅れを効果的に抑制することが可能になる。
【００２８】
図７は、本発明による代替実施例を示す図である。図では、代表的な要素のみが描かれている点に留意を要する。図示されている無線送信機は、例えばＣＤＭＡ用の無線基地局に備えられ、送信信号生成部と、ＤＰＤ部と、増幅部とを備える。ＤＰＤ部及び増幅部については、上述した要素と同様である。送信信号生成部は、共通の増幅部で増幅して送信する複数の無線チャネル用のディジタル送信信号を生成して出力するものである。送信信号生成部は、増幅する無線チャネル数情報を有しており、この無線チャネル数情報が、ＤＰＤ部（例えば、図３に示されるＤＰＤ部３０２内の調整部３２６）に対して通知される（図中の太線矢印）。このようにすると、ＤＰＤ部は送信レベルの検波手段等を不要にすることができる点で有利である。
【００２９】
ＤＰＤ部は、通知された無線チャネル数情報を用いて、無線チャネル数に応じて可変利得増幅部（例えば、図３にて参照番号３１３で示される要素）や、利得設定部（例えば、図３にて参照番号３２４で示される要素）に対して、利得が同じになるように利得調整制御を行なう。
【００３０】
ここで、利得調整制御は、無線チャネル数が多いほど利得を下げ、無線チャネル数が少ないほど利得を上げるように制御するのである。もちろん、１の無線チャネルであっても、高速レートでの通信を行うための特別な無線チャネル等である場合には、他の無線チャネルと同等の無線チャネルとして扱うことは好ましくない為、無線チャネルの種別情報を更に通知する。このように、送信信号が小さいか、大きいかの判断をより正確に行なって、利得調整制御することが望ましい。
【００３１】
この代替実施例では、無線チャネル数情報を送信信号生成部がＤＰＤ部に通知することとしているが、送信信号レベルに係わる他の情報についても同様にＤＰＤ部に当たることが望ましい。例えば、送信信号生成部が、各チャネルについて個々に送信電力制御を行なっている場合には、無線チャネル数だけでは送信信号のレベルの推定精度が低くなってしまう。そこで、送信電力制御後の各チャネルの信号レベルをＤＰＤ部に通知（または、送信電力制御に用いるパラメータを通知）することで、ＤＰＤ部は通知された送信電力制御後の各チャネルの信号レベルの総和（パラメータにより求めた送信信号レベルの和）を算出し、これに応じて可変利得増幅部３１３や利得設定部３２４に対して利得が同じとなるように利得調整制御を行なうことが有利である。送信信号レベルが大きいほど利得を下げ、送信信号レベルが小さいほど利得を上げるように、制御がなされる。
【００３２】
以下、本発明により教示される手段を例示的に列挙する。
【００３３】
（付記１）
ディジタル送信信号とディジタルフィードバック信号との差分が小さくなるように、ディジタル送信信号に適用する歪補償係数の更新及び選択を行なう歪補償装置において、
ディジタル送信信号の振幅の大きさに応じて、ディジタルフィードバック信号を出力するアナログディジタル変換手段の入力信号レベルをフィードバック系内で調整する調整手段を備える
ことを特徴とする歪補償装置。
【００３４】
（付記２）
ディジタル送信信号とディジタルフィードバック信号との差分が小さくなるように、ディジタル送信信号に乗じる歪補償係数の更新及び選択を行なう歪補償装置において、
ディジタルフィードバック信号を出力するアナログディジタル変換手段の入力信号レベルを自律的に調整する可変利得増幅手段と、
前記可変利得増幅手段が前記入力信号レベルを調整したことに応答して、前記差分を算出するためのディジタル送信信号の振幅レベルを調整する調整手段と
を備えることを特徴とする歪補償装置。
【００３５】
（付記３）
ディジタル送信信号とディジタルフィードバック信号との差分が小さくなるように、ディジタル送信信号に乗じる歪補償係数の更新及び選択を行なう歪補償装置において、
ディジタルフィードバック信号を出力アナログ変換手段の入力信号レベルを、制御信号に応答して調整する可変利得増幅手段と、
ディジタル送信信号のとり得る電力値と前記可変利得増幅手段の利得との所定の対応関係を利用して、ディジタル送信信号の電力値に応じて前記制御信号を出力する利得調整手段と
を備えることを特徴とする歪補償装置。
【００３６】
（付記４）
前記所定の対応関係は、小さな電力値に大きな利得を、大きな電力値に小さな利得を対応付けることを特徴とする付記３記載の歪補償装置。
【００３７】
（付記５）
ディジタル送信信号のとり得る電力値の内、複数の電力値について同一内容の制御信号が出力されるように、前記所定の対応関係が定められていることを特徴とする付記３記載の歪補償装置。
【００３８】
（付記６）
前記利得調整手段が、ディジタル送信信号の電力値を算出する電力算出手段を有し、前記電力値により前記メモリ手段のアドレスが指定されることを特徴とする付記４記載の歪補償装置。
【００３９】
（付記７）
前記電力値が、前記歪補償係数の更新及び選択を行なう際にも使用されることを特徴とする付記５記載の歪補償装置。
【００４０】
（付記８）
更に、別の制御信号に応答して、前記差分を算出するためのディジタル送信信号の振幅レベルを調整する別の可変利得増幅手段を備えることを特徴とする付記３記載の歪補償装置。
【００４１】
（付記９）
前記利得調整手段が、ディジタル送信信号の電力値に応じて前記別の制御信号も出力することを特徴とする付記８記載の歪補償装置。
【００４２】
（付記１０）
付記１乃至９の何れか１項に記載の歪補償装置を備えることを特徴とする歪補償機能付無線送信機。
【００４３】
（付記１１）
複数チャネルについての送信信号を共通増幅する増幅器を備えた無線基地局において、
該増幅器における増幅前の送信信号に対して、予め歪みを与える前置歪み補償部と、
増幅前の送信信号と前記共通増幅後の送信信号をフィードバックして得られたフィードバック信号との比較結果に基づいて、両者の差を減ずる方向に前記前置歪み補償部において与える歪みを制御する比較部と、
増幅前の送信信号レベルの低下に応じて前記比較部による比較の対象となる各信号レベルを増大させて、両者の差を拡大させるレベル制御部と、
を備えたことを特徴とする無線基地局。
【図面の簡単な説明】
【００４４】
【図１】従来の無線送信機の部分ブロック図である。
【図２】本発明の一実施例による無線送信機の部分ブロック図である。
【図３】本発明の別の実施例による無線送信機の部分ブロック図である。
【図４】調整部の構成例を示す図である。
【図５】電力値と利得の対応関係を示す図である。
【図６】ＤＰＤ部の別の構成例を示す図である。
【図７】本発明による別の実施例を示す図である。
【符号の説明】
【００４５】
１０２  ＤＰＤ部
１０４  Ｄ／Ａ
１０６，１１２  周波数変換部
１０８  高周波増幅部
１１０  分配部
１１４  Ａ／Ｄ
１１６  振幅及び位相補正部
１１８  ルックアップテーブル
１２０  誤差検出部
１２２  遅延部
２０２  ＤＰＤ部
２０４  Ｄ／Ａ
２０６，２１２  周波数変換部
２０８  高周波増幅部
２１０  分配部
２１３  可変利得増幅部
２１４  Ａ／Ｄ
２１６  振幅及び位相補正部
２１８  ルックアップテーブル
２２０  誤差検出部
２２２  遅延部
２２４  利得設定部
２２６  調整部
２２８  制御線
３０２  ＤＰＤ部
３０４  Ｄ／Ａ
３０６，３１２  周波数変換部
３０８  高周波増幅部
３１０  分配部
３１３  可変利得増幅部
３１４  Ａ／Ｄ
３１６  振幅及び位相補正部
３１８  ルックアップテーブル
３２０  誤差検出部
３２２  遅延部
３２４  利得設定部
３２６  調整部
３２８，３３０  制御線
４０２  電力算出部
４０４  メモリ
４０６  Ｄ／Ａ
６０２  ＤＰＤ部
６０４  Ｄ／Ａ
６１３  可変利得増幅部
６１４  Ａ／Ｄ
６１６  振幅及び位相補正部
６１８  ルックアップテーブル
６１９  電力算出部
６２０  誤差検出部
６２２，６２３  遅延部
６２４  利得設定部
６２６  調整部
６２８，６３０  制御線
【図１】
0004641715.tif 000002
【図２】
0004641715.tif 000003
【図３】
0004641715.tif 000004
【図４】
0004641715.tif 000005
【図５】
0004641715.tif 000006
【図６】
0004641715.tif 000007
【図７】
0004641715.tif 000008